(57)【要約】【課題】災害時の公共の避難場所において、停電、無風、夜間においても携帯電話に充電でき、暗闇においても避難者に存在に気づきやすい携帯電話充電装置を提供する。【解決手段】避難場所の施設用具として使用される筐体と、電源コードと、整流器と、受停電検出部と、蓄電池と、照明器具と、充電器と、受停電検出部の通電状態検出時は整流器と蓄電池との回路を接続しかつ照明器具と蓄電池との回路を遮断し、又は受停電検出部の停電状態検出時は整流器と蓄電池との回路を遮断しかつ照明器具と蓄電池との回路を接続する第一切替手段と、受停電検出部の通電状態検出時は充電器と整流器との回路を接続しかつ充電器と蓄電池との回路を遮断し、又は受停電検出部の停電状態検出時は充電器と整流器との回路を遮断しかつ充電器と蓄電池との回路を接続する第二切替手段とを備える携帯電話充電装置により課題解決できた。【選択図】      図１
2014233143.tif 000002
【特許請求の範囲】
【請求項１】
避難場所となる公園や建物内に設置され施設用具として使用される筐体と、
商用交流電源に接続されるプラグを有する電源コードと、
前記筐体内に設けられ、該商用交流電源からの商用交流電力を直流電力に変換させる整流器と、
前記商用交流電源の受電又は停電を検出する受停電検出部と、
前記筐体内に内設され、商用交流電源の受電時に前記整流器との回路を接続されて商用交流電源により充電され、停電時には前記整流器との回路を遮断される蓄電池と、
前記筐体の外壁面に配設され、商用交流電源の受電時に前記蓄電池との回路を遮断されて消灯し、停電時に前記蓄電池との回路を接続されて前記蓄電池からの放電により点灯する照明器具と、
前記筐体の外壁面に配設され、商用交流電源の受電時に前記整流器との回路を接続されて商用交流電源から前記整流器を介しての通電により、停電時は前記蓄電池との回路を接続されて前記蓄電池からの放電により、受電時も停電時も携帯電話の電池を充電させる充電器と、
前記受停電検出部の受電検出のときは前記整流器と前記蓄電池との回路を接続しかつ前記照明器具と前記蓄電池との回路を遮断し、又は前記受停電検出部の停電検出のときは前記整流器と前記蓄電池との回路を遮断しかつ前記照明器具と前記蓄電池との回路を接続する第一切替手段と、
前記受停電検出部の受電検出のときは前記充電器と前記整流器との回路を接続しかつ前記充電器と前記蓄電池との回路を遮断し、又は前記受停電検出部の停電検出のときは前記充電器と前記整流器との回路を遮断しかつ前記充電器と前記蓄電池との回路を接続する第二切替手段と、
を備えることを特徴とする携帯電話充電装置。
【請求項２】
前記蓄電池が中古蓄電池であることを特徴とする請求項１に記載の携帯電話充電装置。
【請求項３】
第一切替手段が、前記蓄電池側端子との接続先を、前記整流器側端子か、前記充電器及び前記照明器具側端子かで切り替える第一切替スイッチからなる形態、あるいは前記蓄電池側端子と前記整流器側端子間の接続をオンオフさせる第一オンオフスイッチ、及び前記蓄電池側端子と前記照明機器側端子間の接続をオンオフさせる第二オンオフスイッチからなる形態であり、第二切替手段が前記充電器側端子との接続先を、前記整流器側端子か、あるいは前記蓄電池側端子かで切り替える第二切替スイッチの形態であることを特徴とする請求項１又は２に記載の携帯電話充電装置。
【請求項４】
前記筐体が、公共の場所である公園、病院の待合室、宿泊施設、大型小売店舗又は学校内のベンチ又はソファ、あるいは宿泊施設や病院内のカウンターであることを特徴とする請求項１乃至３のいずれかに記載の携帯電話充電装置。
【発明の詳細な説明】
【技術分野】
【０００１】
本発明は、災害発生時の避難場所に設置され、停電時においても携帯電話への充電ができる携帯電話充電装置に関するものである。
【背景技術】
【０００２】
避難場所における携帯電話への充電装置としては、例えば特許文献１に、避難場所に設けた商用交流電源のコンセントに差し込まれる電源プラグと、上記電源プラグより供給される商用交流電源を所定の直流電圧に変換するＡＣ／ＤＣ回路及びこの直流電圧を携帯電話に必要な所定の直流電圧に変換するＤＣ／ＤＣ回路を含む電源変換装置と、上記電源変換装置のＤＣ／ＤＣ回路の同一又は異なる電圧の出力を外部に取り出す複数の外部接続線と、それら複数の外部接続線の各々の先端部に設けられ、携帯電話の信号電源兼用コネクタに差し込まれる雄型コネクタと、を具備する携帯電話の電源装置が開示されている。
【０００３】
また、特許文献２には、戸外に設置可能な筐体と、太陽光を受光して直流電力を発生する太陽電池パネルとが別体に設けられ、前記筐体の内部には、前記太陽光パネルの直流電力を充電制御手段を介して蓄電するバッテリーと、該バッテリーの直流電力を交流電力に変換するインバータとが設けられ、該インバータに接続した携帯電話用充電器から異種タイプの複数の携帯電話用接続コネクタが前記筐体の外部に導かれてなる充電用独立電源が開示されている。
【先行技術文献】
【特許文献】
【０００４】
【特許文献１】特開２００４−３６４３４７号公報
【特許文献２】実登第３１３９０３２号公報
【発明の概要】
【発明が解決しようとする課題】
【０００５】
しかし、特許文献１又は特許文献２に記載の技術は、商用交流電源、風力発電機やソーラーパネルを電源としているので、地震などの災害で停電になり、無風状態になり、夜間においては携帯電話の充電設備として使用できないという問題があった。
【０００６】
また、災害時は停電状態であることが多いので、暗闇の中では携帯電話の充電設備に避難者が気づきにくいので利用されにくく、多くの避難者が公園等の公共の避難場所に集まってごったがえすことから避難者が暗闇の中で携帯電話の充電設備に衝突して打撲や擦り傷等の傷害が発生しやすいという問題があった。
【０００７】
本発明はこうした問題に鑑み創案されたもので、災害時の公共の避難場所において、停電、無風、夜間においても携帯電話に充電でき、暗闇においても避難者に存在に気づきやすい携帯電話充電装置を提供することを課題とする。
【課題を解決するための手段】
【０００８】
請求項１に記載の携帯電話充電装置１は、避難場所となる公園や建物内に設置され施設用具として使用される筐体３と、商用交流電源に接続されるプラグを有する電源コード６と、前記筐体３内に設けられ、該商用交流電源からの商用交流電力を直流電力に変換させる整流器７と、前記商用交流電源の受電又は停電を検出する受停電検出部８と、前記筐体３内に内設され、商用交流電源の受電時に前記整流器７との回路を接続されて商用交流電源により充電され、停電時には前記整流器７との回路を遮断される蓄電池２と、前記筐体３の外壁面に配設され、商用交流電源の受電時に前記蓄電池２との回路を遮断されて消灯し、停電時に前記蓄電池２との回路を接続されて前記蓄電池２からの放電により点灯する照明器具５と、前記筐体３の外壁面に配設され、商用交流電源の受電時に前記整流器７との回路を接続されて商用交流電源から前記整流器７を介しての通電により、停電時は前記蓄電池２との回路を接続されて前記蓄電池２からの放電により、受電時も停電時も携帯電話２０の電池を充電させる充電器４と、前記受停電検出部８の受電検出のときは前記整流器７と前記蓄電池２との回路を接続しかつ前記照明器具５と前記蓄電池２との回路を遮断し、又は前記受停電検出部８の停電検出のときは前記整流器７と前記蓄電池２との回路を遮断しかつ前記照明器具５と前記蓄電池２との回路を接続する第一切替手段９と、前記受停電検出部８の受電検出のときは前記充電器４と前記整流器７との回路を接続しかつ前記充電器４と前記蓄電池２との回路を遮断し、又は前記受停電検出部８の停電検出のときは前記充電器４と前記整流器７との回路を遮断しかつ前記充電器４と前記蓄電池２との回路を接続する第二切替手段１０と、を備えることを特徴とする。
【０００９】
請求項２に記載の携帯電話充電装置１は、請求項１において、前記蓄電池２が中古蓄電池２であることを特徴とする。
【００１０】
請求項３に記載の携帯電話充電装置１は、請求項１又は２において、第一切替手段９が、前記蓄電池２側端子との接続先を、前記整流器７側端子か、前記充電器４及び前記照明器具５側端子かで切り替える第一切替スイッチ１１からなる形態、あるいは前記蓄電池２側端子と前記整流器７側端子間の接続をオンオフさせる第一オンオフスイッチ１３、及び前記蓄電池２側端子と前記照明機器側端子間の接続をオンオフさせる第二オンオフスイッチ１４からなる形態であり、第二切替手段１０が前記充電器４側端子との接続先を、前記整流器７側端子か、あるいは前記蓄電池２側端子かで切り替える第二切替スイッチ１２の形態であることを特徴とする。
【００１１】
請求項４に記載の携帯電話充電装置１は、請求項１乃至３のいずれかにおいて、前記筐体３が、公共の場所である公園、病院の待合室、宿泊施設、大型小売店舗又は学校内のベンチ又はソファ、あるいは宿泊施設や病院内のカウンターであることを特徴とする。
【発明の効果】
【００１２】
請求項１に記載の携帯電話充電装置１は、受電時においても、災害時においても、停電、無風、夜間においても携帯電話２０に充電でき、また、充電器４は複数設置できるので、避難時で停電、無風、夜間時においても、複数の携帯電話２０に充電できるという効果を奏する。
【００１３】
また、災害時の夜間の暗闇であっても、照明の点灯によって周囲を明るくさせることができるので、携帯電話の充電器４の存在に気づきやすく、避難者の恐怖を和らげることができるという効果を奏する。
【００１４】
請求項２に記載の携帯電話充電装置１は、請求項１と同じ効果を奏するとともに、携帯電話充電装置１内に設置する蓄電池２として、劣化によってそれまでの用途に適さなくなった蓄電池を用途を変えて本発明の携帯電話充電装置１の電源としての新しい用途に使用することから、通常廃棄される中古蓄電池２を再利用するという効果を奏し、さらに中古蓄電池２を設置することにより新品蓄電池の設置に比較して設置コストが低減されるという効果を奏する。
【００１５】
請求項３に記載の携帯電話充電装置１は、請求項１又は２と同じ効果を奏する。
【００１６】
請求項４に記載の携帯電話充電装置１は、請求項１乃至３のいずれかと同じ効果を奏するとともに、日常は公園、病院の待合室、宿泊施設、商業施設又は学校内のベンチやソファとして使用され、又は宿泊施設や病院のカウンターとして使用されていることから、携帯電話２０の充電設備としてのスペースを確保することがないので、スペースの有効活用という効果を奏する。
【００１７】
そして、受電時にも携帯電話２０の充電ができるので、受電時の使用によって避難者の中には携帯電話２０の充電できる場所を覚えている者もいて、避難者が落ち着いて携帯電話２０の充電をできるという効果を奏する。
【図面の簡単な説明】
【００１８】
【図１】筐体をベンチとした本発明に係る携帯電話充電装置の概要図である。
【図２】携帯電話充電装置の回路の説明図であって、（ａ）は商用交流電力の受電時、（ｂ）は商用交流電力の停電時を示す説明図である。
【図３】携帯電話充電装置の回路の説明図であって、（ａ）は商用交流電力の受電時、（ｂ）は商用交流電力の停電時を示す説明図である。
【発明を実施するための形態】
【００１９】
本願発明の携帯電話充電装置１は、図１に示すように、災害時に避難場所となる、公共の場所である公園、病院の待合室、宿泊施設、大型小売店舗又は学校内に設置されるベンチやカウンターの内部に設置される。
【００２０】
本願発明の携帯電話充電装置１は、避難場所となる公園や建物内に設置され施設用具として使用される筐体３と、商用交流電源に接続されるプラグを有する電源コード６と、前記筐体３内に設けられ、該商用交流電源からの商用交流電力を直流電力に変換させる整流器７と、前記商用交流電源の受電又は停電を検出する受停電検出部８と、前記筐体３内に内設され、商用交流電源の受電時に前記整流器７との回路を接続されて商用交流電源により充電され、停電時には前記整流器７との回路を遮断される蓄電池２と、前記筐体３の外壁面に配設され、商用交流電源の受電時に前記蓄電池２との回路を遮断されて消灯し、停電時に前記蓄電池２との回路を接続されて前記蓄電池２からの放電により点灯する照明器具５と、前記筐体３の外壁面に配設され、商用交流電源の受電時に前記整流器７との回路を接続されて商用交流電源から前記整流器７を介しての通電により、停電時は前記蓄電池２との回路を接続されて前記蓄電池２からの放電により、受電時も停電時も携帯電話２０の電池を充電させる充電器４と、前記受停電検出部８の受電検出のときは前記整流器７と前記蓄電池２との回路を接続しかつ前記照明器具５と前記蓄電池２との回路を遮断し、又は前記受停電検出部８の停電検出のときは前記整流器７と前記蓄電池２との回路を遮断しかつ前記照明器具５と前記蓄電池２との回路を接続する第一切替手段９と、前記受停電検出部８の受電検出のときは前記充電器４と前記整流器７との回路を接続しかつ前記充電器４と前記蓄電池２との回路を遮断し、又は前記受停電検出部８の停電検出のときは前記充電器４と前記整流器７との回路を遮断しかつ前記充電器４と前記蓄電池２との回路を接続する第二切替手段１０とを備える。
【００２１】
電源コード６はベンチやカウンター等の筐体３内から外部に延出し、筐体３内には整流器７、蓄電池２、受停電検出部８、第一切替手段９、及び第二切替手段１０が内設され、照明器具５及び充電器４は筐体３の外壁に配設されている。
【００２２】
前記電源コード６は、一端は建物等に設置された商用交流電源であるコンセントにプラグを嵌挿させて接続され、他端は筐体３内の整流器７と接続されている。これにより、商用交流電力が前記筐体３内に内設された整流器７に通電可能となる。
【００２３】
前記整流器７は、商用交流電力を直流電力に変換する電力変換器であり、商用交流電力の受電時には前記整流器７と、蓄電池２及び充電器４との回路が接続され、商用交流電力の停電時には前記整流器７と、蓄電池２及び充電器４との回路が遮断される。
【００２４】
前記蓄電池２は、筐体３内に内設されており、新品蓄電池２を使用しても中古蓄電池２を使用してもよく、中古蓄電池２を使用した場合は設置コスト等を低減させることができる。蓄電池２は、受電時は商用交流電力から整流器７を介して例えば浮動充電等により充電しており、災害等による停電時には放電して携帯電話２０や照明器具５の電源となる。
【００２５】
前記充電器４は、ベンチ、ソファ又はカウンター等の筐体３の外面に設置された、携帯電話２０の電池を充電する器具であり、受電時は商用交流電力からの整流器７を介する通電により、災害等の停電時には蓄電池２からの放電により、停電時であっても、受電時や災害時を問わず、昼夜を問わずに携帯電話２０に充電させることができる。また、前記充電器４はベンチ等の筐体３の大きさに応じて、例えば１０台から８０台設置することができ、携帯電話２０の充電をさせたい希望者が殺到しても対応できやすい。
【００２６】
前記照明器具５は、ベンチ、ソファ又はカウンター等の筐体３の外面に設置され、受電時は点灯しないが、災害等の停電時には蓄電池２からの放電により点灯して、停電時でかつ夜間であってもベンチ等の筐体３の存在を見えやすくし、かつ周囲の暗闇を明るくする。照明器具５の光源としては、蓄電池２の放電により点灯すれば光源の種類を限定するものでなく、例えば発光ダイオード、有機ＥＬ、蛍光灯又は白熱灯等があるがこれらにこだわらない。
【００２７】
受停電検出部８は、携帯電話充電装置１が商用交流電力を受電しているか、商用交流電力が停電かを検出する手段であり、受電か停電かの検出結果は第一切替手段９及び第二切替手段１０に制御装置等によって伝えられる。
【００２８】
第一切替手段９は、商用交流電源から携帯電話充電装置１内の整流器７に通電がされている受電時は、整流器７と蓄電池２間が接続され、かつ蓄電池２と照明器具５間が接続されない回路を形成する手段であって、並びに商用交流電源から整流器７に通電がされない停電時は、整流器７と蓄電池２間が遮断され、かつ蓄電池２と照明器具５間が接続される回路を形成する手段であればよく、例えば図２に示す第一切替スイッチ１１からなる形態、又は図３に示す第一オンオフスイッチ１３及び第二オンオフスイッチ１４の組み合わせからなる形態がある。
【００２９】
第二切替手段１０は、商用交流電源から携帯電話充電装置１内の整流器７に通電がされている受電時は、整流器７と充電器４とが接続され、かつ整流器７と蓄電池２間が遮断される回路が形成される手段であって、並びに商用交流電源から整流器７に通電がされない停電時は、蓄電池２と充電器４とが接続されかつ整流器７と充電器４間が遮断される回路が形成される手段であればよく、例えば図２や図３に示すような第二切替スイッチ１２からなる形態がある。
【００３０】
受停電検出部８で受電を検出した場合は、図２（ａ）又は図３（ａ）に示すように、第一切替手段９においては、一端を蓄電池２側端子と接続された第一切替スイッチ１１の他端の接続先を、充電器４及び照明器具５側端子側から整流器７側端子側に切替えて、又は、第一オンオフスイッチ１３をオンさせて整流器７と蓄電池２とを接続状態にして、前記整流器７から前記蓄電池２間を通電可能状態にする。同時に、第二切替手段１０においては、第二切替スイッチ１２を整流器７と充電器４間を接続状態にすることによって前記整流器７から前記充電器４間を通電可能状態にする。これにより、商用交流電源が通電状態のときは、前記蓄電池２は商用交流電源から充電され、前記充電器４は商用交流電源からの携帯電話２０の充電が可能状態となる。
【００３１】
次に、前記受停電検出部８で停電を検出した場合は、図２（ｂ）又は図３（ｂ）に示すように、第一切替手段９においては、一端を蓄電池２側端子と接続された第一切替スイッチ１１の他端の接続先を、整流器７側端子から充電器４及び照明器具５側端子に切替えて、又は、第一オンオフスイッチ１３をオフさせて、整流器７と蓄電池２間を遮断状態にする、同時に第二切替手段１０においては、第二切替スイッチ１２を充電器４と蓄電池２間を接続させるように切り替えることによって前記蓄電池２から前記充電器４を通電可能状態にする。これにより、商用交流電源が停電状態のときは、前記蓄電池２からの放電によって前記充電器４は携帯電話２０の充電が可能状態となる。これにより、災害等で停電時であっても前記充電器４は携帯電話２０の充電が可能となり、前記充電器４は受電時も停電時も２４時間常時携帯電話２０の充電可能状態が維持される。
【００３２】
また、前記照明器具５は、図２又は図３に示すように、前記受停電検出部８で停電を検出した場合は蓄電池２と照明器具５間は通電可能となるように、又は前記受停電検出部８で受電を検出した場合は蓄電池２と照明器具５間は通電されないように設けられている。
【００３３】
前記受停電検出部８で受電を検出した場合は、例えば図２（ａ）に示すように第一切替スイッチ１１を蓄電池２と照明器具５間の回路を遮断状態に切替えることによって、又は、図３（ａ）に示すように第二オンオフスイッチ１４をオフにすることによって、照明器具５と電源である蓄電池２との回路を遮断させて前記照明器具５の光源が点灯しないようにする。これは、停電になっていない受電時は、外灯や室内灯等により、ベンチ、ソファ又はカウンター等の筐体３の周囲が明るいことから、前記筐体３に設置された照明器具５を点灯させる必要がないからである。
【００３４】
前記受停電検出部８で停電を検出した場合は、例えば図２（ｂ）に示すように第一切替スイッチ１１を蓄電池２と照明器具５間の回路を通電状態に切替えることによって、又は図３（ｂ）に示すように第二オンオフスイッチ１４をオンにすることによって、照明器具５と蓄電池２間との回路を接続状態にし、前記照明器具５の光源を点灯させる。これにより、停電時の暗闇の中において前記照明器具５の光源が点灯するので、前記ベンチ等の筐体３の周囲を明るくさせることができ、携帯電話２０の充電器４の存在に気づきやすくなり、暗闇からくる避難者の恐怖心を和らげることができる。
【００３５】
前記照明器具５は複数台設置可能であり、例えば、充電器４周辺を明るくさせたり、ベンチ等の足元周辺を明るくさせたりするように設置させることができる。
【符号の説明】
【００３６】
１      携帯電話充電装置
２      蓄電池
３      筐体
４      充電器
５      照明器具
６      電源コード
７      整流器
８      受停電検出部
９      第一切替手段
１０    第二切替手段
１１    第一切替スイッチ
１２    第二切替スイッチ
１３    第一オンオフスイッチ
１４    第二オンオフスイッチ
２０    携帯電話
【図１】
2014233143.tif 000003
【図２】
2014233143.tif 000004
【図３】
2014233143.tif 000005